(57)【特許請求の範囲】
【請求項１】
指を入れる形態の落下防止物品本体と、
この落下防止物品本体に直接的に取り付けられた非ループの一本紐形態の紐と、
前記落下防止物品本体に設けられた、非ループの一本紐形態での前記紐は通るがその紐の結び目と二本紐形態は通らない形態の結び目止め紐通し孔と、
前記落下防止物品本体に設けられた、前記結び目止め紐通し孔に連通してなる、前記結び目を回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であることを特徴とする落下防止物品付き携帯ストラップ。
【請求項２】
落下防止物品本体と、
指を入れる形態のこの落下防止物品本体に直接的に取り付けられた非ループの一本紐形態の紐と、
前記落下防止物品本体に設けられた、前記紐が通る形態の紐通し孔と、
前記落下防止物品本体に設けられた、前記紐通し孔が配置されてなるストッパー配置部と、
前記ストッパー配置部に位置される、非ループの一本紐形態での前記紐は通すがその紐の結び目と二本紐形態は通さない形態の結び目止め紐通し孔を有しかつ前記紐通し孔を通らない形態のストッパー部材と、を備えてなるとともに、
前記紐を前記紐通し孔に通し出して、前記紐の出た部分を前記ストッパー部材の前記結び目止め紐通し孔に通し、出た紐の部分である紐突出部位に結び目を形成して、前記ストッパー部材を前記ストッパー配置部に位置させたストッパー配置状態で、前記紐が撚れた場合には、その撚れ力によって該紐および前記結び目あるいは前記ストッパー部材が回って、前記撚れが解消される形態であることを特徴とする落下防止物品付き携帯ストラップ。
【請求項３】
前記結び目収納部と前記結び目止め紐通し孔との連通形態が、非直角交差形態である傾斜連通形態である、あるいは前記結び目止め紐通し孔から挿入されて前記結び目収納部に入った紐の先端が当たる該結び目収納部の壁面部位が傾斜面であることを特徴とする請求項１記載の落下防止物品付き携帯ストラップ。
【請求項４】
指を入れる形態のコイルスプリング部材からなる落下防止物品本体と、
この落下防止物品本体に他の部材を介して間接的に取り付けられた非ループの一本紐形態の紐と、
前記他の部材に設けられた、非ループの一本紐形態での前記紐は通るがその紐の結び目と二本紐形態は通らない形態の結び目止め紐通し孔と、
前記他の部材に設けられた、前記結び目止め紐通し孔に連通してなる、前記結び目を、回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であり、
前記他の部材が前記落下防止物品本体の外側に固定された形態で設けられてなることを特徴とする落下防止物品付き携帯ストラップ。
【請求項５】
指を入れる形態のコイルスプリング部材からなる落下防止物品本体と、
この落下防止物品本体に他の部材を介して間接的に取り付けられた非ループの一本紐形態の紐と、
前記他の部材に設けられた、非ループの一本紐形態での前記紐は通るがその紐の結び目と二本紐形態は通らない形態の結び目止め紐通し孔と、
前記他の部材に設けられた、前記結び目止め紐通し孔に連通してなる、前記結び目を、回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であり、
前記他の部材が前記落下防止物品本体のコイル部位に入れられた筒状体であることを特徴とする落下防止物品付き携帯ストラップ。
【請求項６】
指に掛ける指輪形態の落下防止物品本体（３６）と、
この落下防止物品本体（３６）に連結リング（３７）を介して間接的に設けられた他の部材（３８）と、
他の部材（３８）に取り付けられた紐（４）とからなるとともに、
他の部材（３８）は、天井部（３９）を有し底部を開口（４０）とした、有天井・開口底部形態の筐体形態をしていて、側壁に対抗形態の縦長の側壁開口（４１）、（４１）を開け、側壁開口（４１）、（４１）には連結リング（３７）が通され取付けられていて、
天井部（３９）には、非ループの一本形態の紐（４）は通るがその紐（４）の結び目５は通らない形態の結び目止め紐通し孔（４２）が設けられ、他の部材（３８）の筐体は結び目５を回り自在形態で収納する結び目収納部（４３）となっていて、紐（４）が撚れた場合には、その撚れ力によって該紐（４）および結び目（５）が回って、撚れが解消される形態となっていることを特徴とする落下防止物品付き携帯ストラップ。
【発明の詳細な説明】
【技術分野】
【０００１】
本発明は、携帯電話、スマートホン（携帯多機能電子機器）、携帯カメラ、財布などの携帯品に取り付けられ、該携帯品の落下を防止する落下防止物品を備えた落下防止物品付き携帯ストラップに関する。
【背景技術】
【０００２】
従来の落下防止物品付き携帯ストラップとして、特許文献１、特許文献２、特許文献３の発明が知られている。
特許文献１の発明は、携帯品（携帯情報端末機器５）のストラップホール（ストラップ紐を挿通させる為の貫通孔４）に通し、その出た部位を広げ輪にして落下位防止物品（指輪状リングで例示する任意の形状をなす構造体１０）を潜らせて取り付ける形態のループ紐（ストラップ紐９）を備え、ループ紐と落下防止物品との連結はループ紐の先端に固着した連結金具（構造体連結金具１１）に回動自在とされた小リング（符号なし）を、落下位防止物品を直接通して取り付ける、あるいは落下位防止物品の外周に固設したリングに通して取り付ける、という構成のものである。
【０００３】
特許文献２の発明は、手首に掛ける形態の落下位防止物品（紐体１１）の先端に連結部２０が設けられ、この連結部に携帯品のストラップホールに通し取り付けるループ紐（取付け紐１５）を有する、という構成のものである。
【０００４】
特許文献３の発明は、手首に掛けると思われる落下位防止物品（付属品１００ａ）に非ループの１本紐形態の紐（取付けコード１０１）の一方が直接固定形態で取り付けられ、紐の他方にはストッパー８０ａが直接固定形態で取付けられていて、紐を折合わせて携帯品のストラップホールに通して、出た部位を広げて潜らせループを形成し、この潜らせループにストッパー８０ａを潜らせ、紐を引いて潜らせループを締めて取り付ける、という構成および取付け方のものである。
【０００５】
また、いずれの特許文献の発明も紐を新しいものには簡単には交換できないものであった。
【先行技術文献】
【特許文献】
【０００６】
【特許文献１】実用新案登録第3180079号公報
【特許文献２】特開2006-204720号公報
【特許文献３】特開2010-207368号公報（図１２の（ａ））
【発明の概要】
【発明が解決しようとする課題】
【０００７】
上述した従来技術のいずれの発明も、指や手首に落下位防止物品を掛けた状態で携帯品が回ると、紐が撚れて撚れ輪が生じて、撚れ輪状態で引っ張られると紐同士が局所的に強く擦れて糸切れが生じるという欠点があった。
【０００８】
本発明は以上のような従来技術の欠点に鑑み、携帯品が回っても紐撚れが自動的に解消され、かつ、紐を新しいものに簡単に交換することが可能な落下防止物品付き携帯ストラップを提供することを目的としている。
【課題を解決するための手段】
【０００９】
上記目的を達成するために、本発明は次に述べるような構成としている。
＜請求項１記載の発明＞
指を入れる形態の落下防止物品本体と、
この落下防止物品本体に直接的に取り付けられた非ループの一本紐形態の紐と、
前記落下防止物品本体に設けられた、非ループの一本紐形態での前記紐は通るがその紐の結び目と二本紐形態は通らない形態の結び目止め紐通し孔と、
前記落下防止物品本体に設けられた、前記結び目止め紐通し孔に連通してなる、前記結び目を回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であることを特徴とする落下防止物品付き携帯ストラップである。
【００１０】
【００１１】
＜請求項２記載の発明＞
落下防止物品本体と、
指を入れる形態のこの落下防止物品本体に直接的に取り付けられた非ループの一本紐形態の紐と、
前記落下防止物品本体に設けられた、前記紐が通る形態の紐通し孔と、
前記落下防止物品本体に設けられた、前記紐通し孔が配置されてなるストッパー配置部と、
前記ストッパー配置部に位置される、非ループの一本紐形態での前記紐は通すがその紐の結び目と二本紐形態は通さない形態の結び目止め紐通し孔を有しかつ前記紐通し孔を通らない形態のストッパー部材と、を備えてなるとともに、
前記紐を前記紐通し孔に通し出して、前記紐の出た部分を前記ストッパー部材の前記結び目止め紐通し孔に通し、出た紐の部分である紐突出部位に結び目を形成して、前記ストッパー部材を前記ストッパー配置部に位置させたストッパー配置状態で、前記紐が撚れた場合には、その撚れ力によって該紐および前記結び目あるいは前記ストッパー部材が回って、前記撚れが解消される形態であることを特徴とする落下防止物品付き携帯ストラップである。
【００１２】
＜請求項３記載の発明＞
前記結び目収納部と前記結び目止め紐通し孔との連通形態が、非直角交差形態である傾斜連通形態である、あるいは前記結び目止め紐通し孔から挿入されて前記結び目収納部に入った紐の先端が当たる該結び目収納部の壁面部位が傾斜面であることを特徴とする請求項１記載の落下防止物品付き携帯ストラップである。
【００１３】
＜請求項４記載の発明＞
指を入れる形態のコイルスプリング部材からなる落下防止物品本体と、
この落下防止物品本体に他の部材を介して間接的に取り付けられた非ループの一本紐形態の紐と、
前記他の部材に設けられた、非ループの一本紐形態での前記紐は通るがその紐の結び目と二本紐形態は通らない形態の結び目止め紐通し孔と、
前記他の部材に設けられた、前記結び目止め紐通し孔に連通してなる、前記結び目を、回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であり、
前記他の部材が前記落下防止物品本体の外側に固定された形態で設けられてなることを特徴とする落下防止物品付き携帯ストラップである。
【００１４】
＜請求項５記載の発明＞
指を入れる形態のコイルスプリング部材からなる落下防止物品本体と、
この落下防止物品本体に他の部材を介して間接的に取り付けられた非ループの一本紐形態の紐と、
前記他の部材に設けられた、非ループの一本紐形態での前記紐は通るがその紐の結び目と二本紐形態は通らない形態の結び目止め紐通し孔と、
前記他の部材に設けられた、前記結び目止め紐通し孔に連通してなる、前記結び目を、回り自在形態に収納する形態の結び目収納部と、を備えてなるとともに、
前記紐を結び目止め紐通し孔に挿入して前記結び目収納部から外に出し、その外に出た部位に前記結び目を形成し、前記結び目を前記結び目収納部に引き入れて結び目収納状態とし、この結び目収納状態において、前記紐が撚れた場合には、その撚れ力によって該紐および前記結び目が回って、前記撚れが解消される形態であり、
前記他の部材が前記落下防止物品本体のコイル部位に入れられた筒状体であることを特徴とする落下防止物品付き携帯ストラップである。
＜請求項６記載の発明＞
指に掛ける指輪形態の落下防止物品本体（３６）と、
この落下防止物品本体（３６）に連結リング（３７）を介して間接的に設けられた他の部材（３８）と、
他の部材（３８）に取り付けられた紐（４）とからなるとともに、
他の部材（３８）は、天井部（３９）を有し底部を開口（４０）とした、有天井・開口底部形態の筐体形態をしていて、側壁に対抗形態の縦長の側壁開口（４１）、（４１）を開け、側壁開口（４１）、（４１）には連結リング（３７）が通され取付けられていて、
天井部（３９）には、非ループの一本形態の紐（４）は通るがその紐（４）の結び目５は通らない形態の結び目止め紐通し孔（４２）が設けられ、他の部材（３８）の筐体は結び目５を回り自在形態で収納する結び目収納部（４３）となっていて、紐（４）が撚れた場合には、その撚れ力によって該紐（４）および結び目（５）が回って、撚れが解消される形態となっていることを特徴とする落下防止物品付き携帯ストラップである。
【発明の効果】
【００１５】
以上の説明から明らかなように、本発明にあっては次に列挙する効果が得られる。
＜請求項１記載の発明の効果＞
結び目を回り自在形態に収納する形態の結び目収納部であるので、結び目を結び目収納部に引き入れ収納した結び目収納状態において、紐が撚れた場合にはその撚れ力によって紐および結び目が回って、撚れが解消される形態を実現するという効果を奏する。
【００１６】
また、紐が損傷したり、汚れたり、紐の色を変えたいなどの場合において、紐を取り除き、新しい紐を結び目止め紐通し孔に挿入して、結び目収納部から外に出し、その外に出た部位に新しい結び目を形成し、新しい結び目を結び目収納部に引き入れて結び目収納状態とすることが、誰でも簡単にできるという効果を奏する。
【００１７】
＜請求項２記載の発明の効果＞
紐を通し孔に通し出して、紐の出た部分をストッパー部材の結び目止め紐通し孔に通し、出た紐の部分である紐突出部位に結び目を形成して、ストッパーをストッパー配置部に位置させたストッパー配置状態で、紐が撚れた場合には、その撚れ力によって紐および結び目あるいはストッパーが回って、紐の撚れが解消される形態を実現するという効果を奏する。
【００１８】
また、紐が損傷したり、汚れたり、紐の色を変えたいなどの場合において、紐を取り除き、新しい紐を通し孔に通し出して、新しい紐の出た部分をストッパー部材の結び目止め紐通し孔に通し、出た新しい紐の部分である紐突出部位に結び目を形成して、ストッパーをストッパー配置部に位置させたストッパー配置状態とすることが、容易にできるという効果を奏する。
【００１９】
＜請求項３記載の発明の効果＞
請求項１に記載の発明と同様な効果を奏するとともに、結び目止め紐通し孔が傾斜連通形態あるいは結び目収納部の壁面部位が傾斜面であるので、結び目止め紐通し孔から挿入した紐の先端は、垂直ではなく斜め向きで結び目収納部の壁面部位にあたることになり、よって、少しの紐の押しで紐の先端は結び目収納部の出口側を向き、円滑に結び目収納部からの紐出しが、誰でも苦労することなく簡単・素早・円滑に行えるという効果を奏する。
【００２０】
＜請求項４記載の発明の効果＞
このような構成としても、請求項１〜３のいずれか１項に記載の発明と同様な効果を奏する。
【００２１】
＜請求項５記載の発明の効果＞
このような構成としても、請求項１〜３のいずれか１項に記載の発明と同様な効果を奏する。
【図面の簡単な説明】
【００２２】
【図１】本発明の実施例１の部分切断正面図および、部分切断拡大断面図。
【図２】本発明の実施例１の第１の使用状態例を示す斜視図。
【図３】本発明の実施例１の第２の使用状態例を示す斜視図。
【図４】本発明の実施例１の第３の使用状態例を示す斜視図。
【図５】本発明の実施例２の部分切断断面正面図。
【図６】本発明の実施例３の部分切断断面正面図。
【図７】本発明の実施例４の正面図および側面図。
【図８】本発明の実施例５の部分切断正面図および側面図。
【図９】本発明の実施例６の部分切断拡大断面図、正面図および側面図。
【図１０】本発明の実施例７の正面図および部分切断拡大断面図。
【図１１】本発明の実施例８の部分切断正面図および側面図。
【図１２】本出願人が考案したところの実施例９の部分切断正面図。
【発明を実施するための形態】
【００２３】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２４】
図１〜図４に示す本発明の実施例１において、落下防止物品付き携帯ストラップ１は次に述べるような構成となっている。
指を入れる形態である指に掛ける合成樹脂製コイルスプリング部材からなる落下防止物品本体２と、この落下防止物品本体２に他の部材３を介して、一方側を間接的に取り付けられた非ループの一本紐形態の紐４と、
他の部材３に設けられた、非ループの一本紐形態での紐４は通るが（二本紐形態は通らない孔形態）、その紐４の結び目５は通らない形態の結び目止め紐通し孔６と、
他の部材３に設けられた、結び目止め紐通し孔６に連通してなる結び目５を、回り自在形態に収納する形態の結び目収納部７と、を備えてなるとともに、
紐４を結び目止め紐通し孔６に挿入して結び目収納部７から外に出し、その外に出た部位である突出部位８に結び目５を形成し、結び目５を結び目収納部７に引き入れて結び目収納状態とし、この結び目収納状態において、紐４が撚れた場合には、その撚れ力によって該紐４および結び目５が回って、その撚れが解消される形態であるものである。
結び目止め紐通し孔６は結び目収納部７に対して傾斜した斜め形態で連通した、非直角交差形態である傾斜連通形態となっていて、紐４の先端が結び目収納部７の壁に垂直に当たらず斜めに当たるようにして、スムーズに先端が向きを変えて結び目収納部７の外に出やすくしている。
落下防止物品本体２と他の部材３はコードからなる連結手段９によって連結されている。
【００２５】
紐４の他方側には、非ループの一本紐形態での紐４は通るがその結び目は通らない形態の結び目止め紐通し孔と、この結び目止め紐通し孔に連通してなる前記結び目を収納する形態の結び目収納部とを備えてなるストッパー部材１０が取り付けられている。
ストッパー部材１０を設けない、他方の側を紐のみ部とした形態もよい。
【００２６】
紐４の太さは０．８ｍｍあるいは１ｍｍを使用しており、０．８ｍｍの紐太さでの結び目止め紐通し孔６の孔径は１．０ｍｍ〜１．３ｍｍが適当であり、１ｍｍの紐太さでの結び目止め紐通し孔６の孔径は１．２ｍｍ〜１．５ｍｍが適当である。
【００２７】
図２において、落下防止物品付き携帯ストラップ１の携帯ケース１１への取付け例を説明する。
携帯ケース１１のカメラレンズ用の開口１２の外からストッパー部材１０を挿入して開口部１３から外に出した状態にして、開口部１３からスマートホン１４を押し込みセットし、紐４を引っ張ってストッパー部材１０を携帯ケース１１およびスマートホン１４に当てる。
【００２８】
図３において、落下防止物品付き携帯ストラップ１の、スマートホン１４を収納する携帯ケース１６への取付け例を説明する。
携帯ケース１６は側部角に、ループ紐を通し取り付けるストラップホール１７が設けられている。
ストラップホール１７に、紐４を折り合せた状態にして挿入し、出た部位を広げて潜らせループを１８形成し、この潜らせループ１８にストッパー部材１０を潜らせた状態にして、紐４を引っ張って潜らせループ１８を締めてストパー部材１０が抜けないようにして取り付ける。
【００２９】
図４において、落下防止物品付き携帯ストラップ１の、スマートホン１４を収納する上下開口形態の携帯ケース２０への取付け例を説明する。
携帯ケース２０は、ケース本体２１の左右側壁に、紐４の一本形態での差し込み通しはできるがその結び目は通さない孔形態の結び目止め紐通し孔２３ａ〜２３ｄ、２４ａ〜２４ｄを設けている。
紐４の他方の側は何も設けない紐のみ部２５としている。
紐のみ部２５を結び目止め紐通し孔２３ｂに外側から挿入し、次に結び目止め紐通し孔２３ｃに挿入して外に出し、次に結び目止め紐通し孔２３ｂに挿入して内側にだし、出た部位である突出部位２７に結び目２６を形成して、余分な部位を切り除き取り付ける。スマートホン１４を押し込みセットする。
【実施例２】
【００３０】
図５に示す本発明の実施例２において、前記実施例１と主に異なる点は、他の部材を、結び目止め紐通し孔を垂直な結び目止め紐通し孔２９とし、結び目収納部を結び目止め紐通し孔２９から挿入されて入った紐４の先端が当たる壁面部位を傾斜面とした結び目収納部３０を備えた他の部材３１を形成した点にある。他の部材３１を備えた落下防止物品付き携帯ストラップ３２を形成している。
【実施例３】
【００３１】
図６に示す本発明の実施例３において、落下防止物品付き携帯ストラップ３５は次に述べるような構成となっている。
指に掛ける指輪形態の落下防止物品本体３６と、
この落下防止物品本体３６に連結リング３７を介して間接的に設けられた他の部材３８と、
他の部材３８に取り付けられた紐４とからなっている。
【００３２】
他の部材３８は、天井部３９を有し底部を開口４０とした、有天井・開口底部形態の筐体形態をしていて、側壁に対抗形態の縦長の側壁開口４１、４１を開け、側壁開口４１、４１には連結リング３７が通され取付けられている。
天井部３９には、非ループの一本形態の紐４は通るがその紐４の結び目５は通らない形態の結び目止め紐通し孔４２が設けられ、他の部材３８の筐体は結び目５を回り自在形態で収納する結び目収納部４３となっている。
紐４を結び目止め紐通し孔４２に挿入して結び目収納部４３に通し、側壁開口４１から外に出し、その外に出た部位に結び目５を形成し、結び目５を結び目収納部４３に引き入れて結び目収納状態とし、この結び目収納状態において、紐４が撚れた場合には、その撚れ力によって該紐４および結び目５が回って、撚れが解消される形態となっている。
【実施例４】
【００３３】
図７に示す本発明の実施例４において、落下防止物品付き携帯ストラップ４５は次に述べるような構成となっている。
指に掛けるゴムバンド製部材からなる落下防止物品本体４６と、
この落下防止物品本体４６の頂部に該落下防止物品本体４６と一体的に形成された突出部４７と、
この突出部４７の上部に貫通孔形態で設けられた非ループで一本紐形態の紐４が余裕で通る紐通し孔４８と、
突出部４７の内側面に接着剤やカシメなどにより固定された硬質部材４９と、
この硬質部材４９に紐通し孔４８と連通する形態で設けられた、非ループで一本紐形態の紐４は通るがその結び目５は通らない形態の、紐通し孔４８よりも小さい貫通孔である結び目止め紐通し孔５０と、
紐通し孔４８を通り結び目止め紐通し孔５０に通されて、結び目５を形成して抜けない形態で取り付けられた紐４とからなっている。
硬質部材４９は固着されずにフリー状態とするのもよい。
【実施例５】
【００３４】
図８に示す本発明の実施例５において、落下防止物品付き携帯ストラップ５２は次に述べるような構成となっている。
指に掛けるバンド製部材からなる落下防止物品本体５３と、
この落下防止物品本体５３の中途を合わせ状態にし、かつ指でつまんで移動させることが可能とされた、指を入れる指掛部位５７のリング大きさを調整する調節移動体５１と、
落下防止物品本体５３の上部に貫通された紐通し孔４８と、
落下防止物品本体５３の上部内側に位置された、底部開口の筐体からなる硬質部材５４と、
この硬質部材５４の天井部位に紐通し孔４８と連通する形態で設けられた、非ループで一本紐形態の紐４は通るがその結び目５は通らない形態の、紐通し孔４８よりも小さい貫通孔である結び目止め紐通し孔５０と、
硬質部材５４の筐体の内側容器体からなる結び目５を回り自在形態で収納する結び目収納部５６とからなっている。
落下防止物品本体５３の下部に両横に突出するように設けられた、調節移動体５４が抜けないように止める抜け止め部５５とからなっている。
硬質部材５４は落下防止物品本体５３に接着剤等によって固着する形態もよい。
【実施例６】
【００３５】
図９に示す本発明の実施例６において、落下防止物品付き携帯ストラップ５８は次に述べるような構成となっている。
指に掛けるバンド製部材（シリコンゴム製部材が好適であるが、天然ゴム、合成ゴム、ポリウレタン系ゴム、ナイロン系軟質部材などでもよい。）からなる落下防止物品本体５９と、
この落下防止物品本体５９の中途を合わせ状態にし、かつ指でつまんで移動させることが可能とされた、指掛部位５７のリング大きさを調整する調節移動体５１と、
落下防止物品本体５９の上部に貫通された紐通し孔４８と、
落下防止物品本体５９の上部内側に該落下防止物品本体５９と一体成型により設けられた、底部開口の筐体形態で内部を結び目収納部５６としてなる筐体部６０と、
この筐体部６０に嵌め込まれた紐通し孔４８と連通する形態で設けられた、非ループで一本紐形態の紐４は通るがその結び目５は通らない形態の、紐通し孔４８よりも小さい貫通孔である結び目止め紐通し孔５０を有する硬質部材６１と、
落下防止物品本体５９の下部に両横に突出するように設けられた、調節移動体５１が抜けないように止める抜け止め部５５と、
筐体部６０の内部空間である、結び目５を回り自在形態で収納する広さの結び目収納部５６とからなっている。
【００３６】
落下防止物品本体５９と筐体部６０は同一部材によって一体成型される。成型時は筐体部６０は外側に形成され、内表を逆転させて筐体部６０を内側にして使用する。
【実施例７】
【００３７】
図１０に示す本発明の実施例７において、落下防止物品付き携帯ストラップ６４は次に述べるような構成となっている。
合成樹脂製コイルスプリング部材からなる落下防止物品本体２と、
この落下防止物品本体２の４つのコイル部位に入れられ、かつ４つのコイル部位を外れないようにフランジ６５ａ、６５ｂによってまとめている、左右に該フランジ６５ａ、６５ｂを有する、合成樹脂製硬質部材の筒状体６６と、
この筒状体６６の内部空間である結び目収納孔６７と、
筒状体６６の上部に貫通孔形態で結び目収納孔６７に連通形態で設けられた、非ループで一本紐形態の紐４は通るがその結び目５は通らない形態の結び目止め紐通し孔６８と、
この結び目止め紐通し孔６８に通し、結び目収納孔６７に出し、結び目収納孔６７の外に出し、その出た部位に結び目５を形成し、余分な部位を切り除き、結び目５を結び目収納孔６７に引き入れ、取り付け状態とされた紐４と、を備えてなるとともに、
結び目収納孔６７の広さが、収納された結び目５が回り自在の広さとなっている。
落下防止物品本体２と筒状体６６は接着剤によって固着されている。
紐４が撚れた場合には、その撚れ力によって該紐４および結び目５が回って、撚れが解消される。
【実施例８】
【００３８】
図１１に示す本発明の実施例８において、落下防止物品付き携帯ストラップ７０は次に述べるような構成となっている。
指を入れる形態である指に掛ける革製バンド部材からなる落下防止物品本体７１と、
この落下防止物品本体７１の指を入れ掛ける部位である指掛部位７２と、
落下防止物品本体７１の中途を合わせ状態にし、かつ指でつまんで移動させることが可能とされた、指掛部位７２のリング大きさを調整する、シリコンゴム、軟性塩ビ製部材、合成ゴム製部材などの軟性部材からなる調節移動体７３と、
落下防止物品本体７１の上部に設けられた逆Ｕの字形態の連結部材７４と、
落下防止物品本体７１と連結部材７４とを連結している、リベット、ねじ、ホックなどの連結手段７５と、
連結部材７４の天井部に貫通された、非ループで一本紐形態の紐４は通るがその結び目５は通らない形態の結び目止め紐通し孔７６と、
連結部材７４の内部空間である、結び目５を回り自在形態で収納する広さの結び目収納部７７と、
結び目止め紐通し孔７６に通し、結び目収納孔７７に出し、結び目収納孔７７の外に出し、その出た部位に結び目５を形成し、余分な部位を切り除き、結び目５を結び目収納孔７７に引き入れ、取り付け状態とされた紐４と、を備えてなるとともに、
結び目収納孔７７の広さが、収納された結び目５が回り自在の広さとなっている。
【実施例９】
【００３９】
図１２に示す本出願人が考案したところの実施例９において、前記実施例１と主に異なる点は、結び目止め紐通し孔を二本形態の紐が挿入できるがその二本形態の紐の結び目８０を通さない形態の結び目止め紐通し孔８１とし、ループ形態とした紐８２を取り付けてなる落下防止物品付き携帯ストラップ８３を形成した点にある。
【産業上の利用可能性】
【００４０】
本発明は、携帯ストラップを製造・販売する産業で利用される。
【符号の説明】
【００４１】
１：落下防止物品付き携帯ストラップ、
２：落下防止物品本体、
３：他の部材、
４：紐、
５：結び目、
６：結び目止め紐通し孔、
７：結び目収納部、
８：突出部位、
９：連結手段、
１０：ストッパー部材、
１１：携帯ケース、
１２：カメラレンズ用の開口、
１３：開口部、
１４：スマートホン、
１６：携帯ケース、
１７：ストラップホール、
１８：潜らせループ、
２０：携帯ケース、
２１：ケース本体、
２３ａ〜２３ｄ：結び目止め紐通し孔、
２４ａ〜２４ｄ：結び目止め紐通し孔、
２５：紐のみ部、
２６：結び目、
２７：突出部位、
２９：結び目止め紐通し孔、
３０：結び目収納部、
３１：他の部材、
３２：落下防止物品付き携帯ストラップ、
３５：落下防止物品付き携帯ストラップ、
３６：落下防止物品本体、
３７：連結リング、
３８：他の部材、
３９：天井部、
４０：開口、
４１：側壁開口、
４２：結び目止め紐通し孔、
４３：結び目収納部、
４５：落下防止物品付き携帯ストラップ、
４６：落下防止物品本体、
４７：突出部、
４８：紐通し孔、
４９：硬質部材、
５０：結び目止め紐通し孔、
５１：調節移動体、
５２：落下防止物品付き携帯ストラップ、
５３：落下防止物品本体、
５４：硬質部材、
５５：抜け止め部、
５６：結び目収納部、
５８：落下防止物品付き携帯ストラップ、
５９：落下防止物品本体、
６０：筐体部、
６１：硬質部材、
６４：落下防止物品付き携帯ストラップ、
６５ａ、６５ｂ：フランジ、
６６：筒状体、
６７：結び目収納孔、
６８：結び目止め紐通し孔、
７０：落下防止物品付き携帯ストラップ、
７１：落下防止物品本体、
７２：指掛部位、
７３：調節移動体、
７４：連結部材、
７５：連結手段、
７６：結び目止め紐通し孔、
７７：結び目収納部、
８０：結び目、
８１：結び目止め紐通し孔、
８２：紐、
８３：落下防止物品付き携帯ストラップ。
【要約】      （修正有）【課題】携帯品が回っても紐撚れが自動的に解消される落下防止物品付き携帯ストラップを提供する。【解決手段】紐４を結び目止め紐通し孔６に挿入して結び目収納部７から外に出し、その外に出た部位である突出部位８に結び目５を形成し、結び目５を結び目収納部７に引き入れて結び目収納状態とし、この結び目収納状態において、紐４が撚れた場合には、その撚れ力によって該紐４および結び目５が回って、その撚れが解消される形態である【選択図】図１【図１】
0005605878.tif 000002
【図２】
0005605878.tif 000003
【図３】
0005605878.tif 000004
【図４】
0005605878.tif 000005
【図５】
0005605878.tif 000006
【図６】
0005605878.tif 000007
【図７】
0005605878.tif 000008
【図８】
0005605878.tif 000009
【図９】
0005605878.tif 000010
【図１０】
0005605878.tif 000011
【図１１】
0005605878.tif 000012
【図１２】
0005605878.tif 000013